(57)【特許請求の範囲】
【請求項１】
塀の一方の面に沿って配設される後板石と、前記後板石の前面下方に、前方に突出して形成される納骨部と、前記納骨部の上部後方に、前記後板石の前面に沿って配設される台座部と、前記台座部の上部に、前記後板石の前面に沿って配設される竿石とからなる塀面設置型墓碑であって、前記後板石の下方は、前記納骨部又は前記納骨部と前記塀によって固定されるとともに、前記後板石の上方は、前記塀の上端部と固定することを特徴とする塀面設置型墓碑。
【請求項２】
前記後板石の上方での固定は、前記塀の上端面にボルト締めすることによって行うことを特徴とする請求項１記載の塀面設置型墓碑。
【請求項３】
前記後板石と前記塀との間に、ダンパーを配置することを特徴とする請求項１記載の塀面設置型墓碑。
【請求項４】
塀の一方の面に沿って配設される後板石と、前記塀の前面下方に、前方に突出して形成される納骨部と、前記後板石の前面に沿って配設される竿石とからなる塀面設置型墓碑であって、前記納骨部は、上面方に配置される蓋体を備え、前記蓋体を前面側が低くなるように傾斜して配設することを特徴とする塀面設置型墓碑。
【請求項５】
前記蓋体を、葬られている故人の戒名や俗名等を彫刻する墓誌板とすることを特徴とする請求項４記載の塀面設置型墓碑。
【請求項６】
塀の一方の面に沿って配設される後板石と、前記塀の前面下方に、前方に突出して形成される納骨部と、前記後板石の前面に沿って配設される竿石とから一つの塀面設置型墓碑を構成し、前記納骨部は、側面を覆う横腰石を備え、二つの塀面設置型墓碑の隣接する前記横腰石を一体の石材で形成したことを特徴とする塀面設置型墓碑。
【請求項７】
塀の一方の面に沿って配設される後板石と、前記後板石の前面下方に、前方に突出して形成される納骨部と、前記納骨部の上部後方に、前記後板石の前面に沿って配設される台座部と、前記台座部の上部に、前記後板石の前面に沿って配設される竿石とからなる塀面設置型墓碑であって、前記竿石の前面は、上方よりも下方が前方に突出する傾斜面又は段差面を有していることを特徴とする塀面設置型墓碑。
【請求項８】
塀の一方の面に沿って配設される後板石と、前記塀の前面下方に、前方に突出して形成される納骨部と、前記後板石の前面に沿って配設される竿石とからなる塀面設置型墓碑であって、前記竿石の背面上部に、前記塀又は前記後板石の上端部において固定するための凸部を設けることを特徴とする塀面設置型墓碑。
【発明の詳細な説明】
【０００１】
【発明の属する技術分野】
本発明は、墓地不足に対処する為に、寺院墓地の塀を利用して墓碑及び納骨庫を設けるようにした塀面設置型墓碑に関する。
【０００２】
【従来の技術】
従来、この種の墓碑は、墓の構造上又墓と塀との関係から、塀から墓前方通路までの距離が大きく、その分だけ一定の敷地内に設ける墓の数が少なくするのを、墓並びに塀の構造に改良を加えることで、墓地面積の有効利用を可能とした納骨塀が提案されている（例えば実公平２−９０１４号公報、実開昭６１−１１５４５６公報、実開昭６１−１１５４５７号公報、実開昭６１−１１５４５７号公報、実開昭６２−１２６４６２公報、特開平９−１２５７４５号公報、実開平４−９８９６７号公報及び実公平２−９０１４公報）。
【０００３】
【発明が解決しようとする課題】
上記の従来における納骨塀は、単に墓地の面積の有効利用ということのみにとどまっていた。
しかし、墓地周辺の既存の壁面の高さに応じた納骨塀設置の簡便性を考慮しつつ安全性を確保する場合に問題があった。
【０００４】
本発明は、墓地面積の有効利用を図るべく納骨塀の安全性を確保することを目的とする。
【０００５】
【課題を解決するための手段】
請求項１記載の本発明は、塀の一方の面に沿って配設される後板石と、前記後板石の前面下方に、前方に突出して形成される納骨部と、前記納骨部の上部後方に、前記後板石の前面に沿って配設される台座部と、前記台座部の上部に、前記後板石の前面に沿って配設される竿石とからなる塀面設置型墓碑であって、前記後板石の下方は、前記納骨部又は前記納骨部と前記塀によって固定されるとともに、前記後板石の上方は、前記塀の上端部と固定することを特徴とする。
請求項２記載の本発明は、請求項１記載の塀面設置型墓碑において、前記後板石の上方での固定は、前記塀の上端面にボルト締めすることによって行うことを特徴とする。
請求項３記載の本発明は、請求項１記載の塀面設置型墓碑において、前記後板石と前記塀との間に、ダンパーを配置することを特徴とする。
請求項４記載の本発明は、塀の一方の面に沿って配設される後板石と、前記塀の前面下方に、前方に突出して形成される納骨部と、前記後板石の前面に沿って配設される竿石とからなる塀面設置型墓碑であって、前記納骨部は、上面を覆う蓋体を備え、前記蓋体を前面側が低くなるように傾斜して配設することを特徴とする。
請求項５記載の本発明は、請求項４記載の塀面設置型墓碑において、前記蓋体を、葬られている故人の戒名や俗名等を彫刻する墓誌板とすることを特徴とする。
請求項６記載の本発明は、塀の一方の面に沿って配設される後板石と、前記塀の前面下方に、前方に突出して形成される納骨部と、前記後板石の前面に沿って配設される竿石とから一つの塀面設置型墓碑を構成し、前記納骨部は、側面を覆う横腰石を備え、二つの塀面設置型墓碑の隣接する前記横腰石を一体の石材で形成したことを特徴とする。
請求項７記載の本発明は、塀の一方の面に沿って配設される後板石と、前記後板石の前面下方に、前方に突出して形成される納骨部と、前記納骨部の上部後方に、前記後板石の前面に沿って配設される台座部と、前記台座部の上部に、前記後板石の前面に沿って配設される竿石とからなる塀面設置型墓碑であって、前記竿石の前面は、上方よりも下方が前方に突出する傾斜面又は段差面を有していることを特徴とする。
請求項８記載の本発明は、塀の一方の面に沿って配設される後板石と、前記塀の前面下方に、前方に突出して形成される納骨部と、前記後板石の前面に沿って配設される竿石とからなる塀面設置型墓碑であって、前記竿石の背面上部に、前記塀又は前記後板石の上端部において固定するための凸部を設けることを特徴とする。
【０００６】
【発明の実施の形態】
本発明における第１の実施の形態は、後板石の下方は、納骨部又は納骨部と塀によって固定されるとともに、後板石の上方は、塀の上端部と固定するものである。塀面設置型墓碑は、塀面を利用したスペースを有効利用できるが、省スペース化を図るためには、奥行き寸法を小さくする必要があり、そのためには安定性を確保しなければならない。本実施の形態は、最も安定性を確保する必要のある後板石を、下方においては、納骨部又は納骨部と塀によって固定する。このように、本実施の形態は、後板石の前面下方に、前方に突出して形成される納骨部を利用することによって安定性を確保することができる。また、本実施の形態は、上方においては、塀の上端部と固定することによって確実な固定を行うことができる。すなわち、塀には、塀の強度を確保するために通常梁が埋め込まれており、またブロック塀では、ブロック単位で積み上げているために、場所によって強度が異なったり、貫通孔を空けるに不適切な場所もある。すなわち石材同士を結合するには、一方の石材である後板石にあらかじめ貫通孔を空け、この後板石を設置後にこの貫通孔に対応する位置に孔を設けることによって、ボルト等により固定することが容易であるが、塀に空ける孔が必ずしも固定に適しているとは限らない。従って、本実施の形態のように塀の上端部を利用して固定することにより、強度が十分でなかったり、貫通孔を空けるのに不適切な位置を避けることができるので、確実に強度を確保することができる。このように本実施の形態は、後板石を下方と上方で塀に固定し、この後板石に花立て等の台座部と竿石を沿わせて配設することで、墓碑全体の安定性を確保することができる。
尚、後板石は、第一に塀を隠すものであり、第二に納骨時に塀を見えなくする化粧番としての意義を有する。従って、塀に併設できるものであれば必ずしも一体である必要はない。
【０００７】
本発明における第２の実施の形態は、第１の実施の形態において、後板石の上方での固定は、塀の上端面にボルト締めすることによって行うものである。このように塀の上端面を利用することで、例えばブロック塀のように壁面においては強度的に制約の多い塀においても確実に固定を行うことができる。
【０００８】
本発明における第３の実施の形態は、第１の実施の形態において、後板石と塀との間に、ダンパーを配置するものである。このように後板石と塀との間にダンパーを配置することで、塀の傾きや曲がりの影響を受けずに後板石を垂直に安定的に配設することができる。特に複数の墓碑を配設する場合に、それぞれの墓碑間のずれや段違い等を防止でき、安定性を高めるとともに、美観を高めることができる。
【０００９】
本発明における第４の実施の形態は、納骨部は、上面を覆う蓋体を備え、この蓋体を前面側が低くなるように傾斜して配設するものである。このように納骨部を構成する蓋体を、前面側が低くなるように傾斜して配設することで、後面側となる塀側が高くなる構成となるため、墓碑の安定性を高めることができるとともに、蓋体上面に雨水が溜まることがないため、納骨部に雨水が浸入することを少なくすることができる。
【００１０】
本発明における第５の実施の形態は、第４の実施の形態において、蓋体を、葬られている故人の戒名や俗名等を彫刻する墓誌板とするものである。このように蓋体を墓誌板として利用することで、限られたスペースで墓誌板を備えることができる。また、このように蓋体を墓誌板として利用すると、彫刻等によって掘られた窪みに雨水が溜まりやすくなるが、蓋体を傾斜して設けているので、この窪みに雨水が溜まることも防止することができる。
【００１１】
本発明における第６の実施の形態は、納骨部は、側面を覆う横腰石を備え、二つの塀面設置型墓碑の隣接するそれぞれの横腰石を一体の石材で形成したものである。このように隣接する横腰石を一体の石材とすることで、幅を２倍とすることができ、一つの墓碑を構成する横腰石の幅を狭くすることができる。従って、墓碑の幅方向の寸法を少なくしても、横腰石の強度を確保することができる。
【００１２】
本発明における第７の実施の形態は、竿石の前面は、上方よりも下方が前方に突出する傾斜面又は段差面を有しているものである。これにより、竿石上方の軽量化を図る。
【００１３】
本発明における第８の実施の形態は、竿石の背面上部に、塀又は後板石の上端部に固定するための凸部を設けることにより、竿石の重量を、塀又は後板石で支えることとしたものである。このように、竿石を塀又は後板石の上端部との組み合わせで固定できる形状とすることで、固定をより安全なものとすることができる。
【００１４】
【実施例】
以下本発明の一実施例について図面に基づいて説明する。
図１は、同実施例における塀面設置型墓碑の斜視図、図２は同塀面設置型墓碑の後方面からの要部斜視図、図３は同塀面設置型墓碑を設置する際に使用する金具の斜視図、図４は同塀面設置型墓碑の側面図、図５は同塀面設置型墓碑の蓋体の傾斜を示す要部側面図、図６は同塀面設置型墓碑の横板石の斜視図、図７は同横板石の側面図、図８は同横板石の正面図、図９及び図１０は他の横腰石の斜視図、図１１は同平面型墓碑の蓋体の斜視図、及び図１２は同塀面設置型墓碑の角地用横腰石の斜視図である。
【００１５】
（実施例１）
図１に示すように、塀面設置型墓碑は、後板石２、納骨部３、台座部４、及び竿石６を有している。台座部４は、両端部に花立て８、中央部に香炉９を有している。納骨部３は、蓋体５、横腰石７及び前腰石１０を有している。塀１は、基礎材の上に、例えばプレキャストコンクリート材により形成されている、従ってコンクリートブロックであってもよい。また、墓碑に用いられる材料としては、天然石材、人工石材又は樹脂材からなるものであってもよい。尚、樹脂材を蓋体５に用いるものであってもよい。蓋体５は、納骨時に持ち上げる必要があり、軽量化することにより、納骨時に蓋体５を持ち上げるのが容易になるからである。本実施例において、墓碑は石材から構成されており、一定長を有する塀１に対して複数配設されている。図１に示すように、横腰石７は下部において、基礎材に金具１１で固定されている。また、蓋体５は、横腰石７上部において、横腰石７の側面に設けられた蓋体固定部１２により固定される。蓋体固定部１２は、本実施例では、横腰石７と一体成型されているが、各々を別に成型し、ボルトや接着剤によって固着してもよい。ボルトや接着剤とするのは、成型が容易であること及び成型したものが、積み上げやすい形になるために運搬がしやすい等の利点があるからである。そして、蓋体固定部１２の上面に、蓋体５が裁置されている。後板石２及び蓋体５の間に形成された間隙には、入り込む形で、台座部４が設けられている。尚、台座部４は、後板石２、横腰石７又は蓋体５にボルト又は接着剤により固定されていてもよい。このようにすることで、間隙を作るための寸法精度を、あまり高くする必要がなくなり、コストが安くなる。また、本実施例の場合には、台座部４が、両端の花立て８の下方で、横腰石６の上面に固定されている。より安定した固定ができるからである。後板石２と台座部４中央付近の間に形成された間隙により、竿石６が固定される。竿石６は、直方体の形状をしている。そして、竿石の前面は、上方よりも下方が前方に突出する傾斜面又は段差面を有する構成となっている。本実施例の場合には、これに加えて、下方の前面の幅よりも上方の前面の幅が狭くなるような構成になっている。このように、竿石６の上方部を軽量化し、背面を水平面とすることで、前面側への倒れる危険性を少なくし、後板石２に安定して固定させることができる。これ以外に竿石６の上方部を軽量化するには、多角形錘台の形状にすること、上方部周辺の各辺を面取り又は、面の一部を切削した形状としてもよい。これにより、上方部の使用石材を削減するものだからである。尚、台座部４を後板石２の全高の３分の１程度の位置に設け、後板石２及び台座部４の間に設けられた溝の垂直方向の角度を、竿石６全体の重心が台座部４より、前方にならないような角度にすることがより好ましい。竿石６の固定が安定し、ひいては墓碑全体の安定性が向上し、振動により倒れにくくなるからである。尚、竿石６は、後板石２及び台座部４に、ボルト又は接着剤により固定されていてもよい。より一層安定性が増すからである。
【００１６】
次に、図２を用いて、塀１と後板石２とを、金具１４及びボルト１５により、塀１の上端面に固定することについて説明する。本実施例では、上端面で固定することにより、墓碑前面から見た場合に、塀１が見えなくなる。このため、美観を損ねることない。塀１は、コンクリートに打放したもの、コンクリートブロックを用いたもの等ボルトにより上端面に固定できるものであればよい。コンクリートブロックを用いた場合には、ブロック内の穴にコンクリートを詰めることが、好ましい。ボルト１５の位置自由度がより高まるとともに、塀１の強度が高まり、安定して後板石２を固定できるからである。また、図３を用いて、本実施例に使用する金具１４を説明する。この金具には、金具１４外周に沿った又は長円のボルト用貫通孔１４ａが設けられている。これにより、後石板２を固定する時に、自由度が高まり、例えば塀１の表面に多少の凹凸があったり、塀１の垂直水平方向の建築精度に多少のひずみ等があっても、後板石２の位置調整が容易になる。
【００１７】
次に、図４を用いて、塀１と後板石２の間に設けられた、ダンパー１５を説明する。ダンパー１５は、後板石２の背面の各角部周辺に設けられている。このようにすることで、塀１と後板石２との間隔を、効率よく調整することができる。結果として塀１の前に平行に並べられた複数の後板石２平面を、面一にする効果がある。このダンパー１５は、弾性素材のゴム、バネ等であればよく、好ましくはウレタン性の樹脂性弾性素材がよい。そして、この厚さは２ｍｍから５ｍｍ程度がより好ましい。塀１と後板石２の表面に生ずる凸凹を平均化し、隙間を調整できるからである。また、前記金具１４及びボルト１５の調整も加えて有効に、墓碑列全体の位置調整がより、簡単になる。
【００１８】
次に、図５から図１０を用いて、蓋体５について説明する。図５は蓋体５の表面を、手前方向に傾斜させた墓碑の要部側面図である。図６は、図５の横腰石７の斜視図、図７は同側面図及び図８は同正面図である。図６は、横腰石７及び蓋体固定部１２の上面に傾斜をつけたものである。そして、蓋体５を蓋体固定部１２に載置すると、蓋体５の上面は手前方向に傾斜することになる。また、この傾斜角１６は、雨水が手前方向に流れうる角度、かつ前面から蓋体５の表面に書かれた文字が見やすい必要がある。このように適度な傾斜をつけることで、刻まれた文字も見やすくなる。尚、傾斜角１６を設けることで、納骨時に蓋体５を、蓋体５の手前側を支点として、石用の吸盤付き運搬具で上部を引っ張りやすくし、作業が容易になる。
また、図９及び図１０で、横腰石の他の実施例について、共に斜視図を用いて説明する。図９は、横腰石７Ｂのみを上面を手前方向に、傾斜させたものである。この場合、蓋体固定部１２Ｂの上面は水平面を形成する。このため、蓋体５Ｂの上表面を手前方向に傾斜させるように削る等の処理をする必要がある。このようにすることで、横腰石７Ｂと蓋体固定部１２Ｂを一体に成型する場合に、蓋体固定部１２の上面を傾斜させて削る作業をなくすことができる。図１０は、蓋体固定部１２Ｃの上面のみを手前方向に、傾斜させたものである。この場合、横腰石７Ｃの表面は、水平面を形成する。このため、蓋体５Ｃ表面に、水が流れた場合には、手前方向には水は流れにくく、両側の蓋体５Ｃに水がこぼれ、左右の蓋体５Ｃの表面を水が流れるため、蓋体５Ｃ表面の洗浄効果がより高くなる。
次に、図９及び図１０を用いて、横腰石の表面中心線上に、設けた切り欠き溝について説明する。この切り欠き溝１７Ｂ及び１７Ｃを設けることにより、狭い設置条件でも、視覚的には２つに見え、土地の有効活用を可能にする。
【００１９】
次に、図１１を用いて、墓誌板について説明する。蓋体５には、葬られている個人の戒名や俗名等を彫刻してある。従来、墓誌は墓碑に刻まれていたが、このような壁面設置型のものでは、墓碑の裏面に刻むことができず、墓碑の下部に刻んでいた。しかし、蓋体５を墓誌板と兼用することで、墓誌がより見やすくなる。また、蓋体５は手前にあり、且つ取り外せるように設けてある。これにより、墓誌刻印作業がしやすくなる。
【００２０】
次に、図１２を用いて、角地用の横腰石について説明する。（ａ）は左の角地用の横腰石７Ｄの斜視図、（ｂ）は右角地用の横腰石７Ｅの斜視図を示す。横腰石は、二以上の塀面設置型墓碑の配設させた場合は、墓地列の両端部である角地以外には、蓋体固定部１２を横腰石７の両側に設け、１つの横腰石７で２つの蓋体５を支えている。しかし、角地では横腰石７の片側側面のみに蓋体固定部１２Ｄ及び１２Ｅを有する横腰石７Ｄ及び７Ｅを使用する。これにより、両端部の墓碑において、後板石２と横腰石７Ｄ及び７Ｅの端部がそろい、墓碑列全体が整って見える。
両端の横腰石は、切り欠き溝１７Ｂ又は１７Ｃの位置で切断することにより作ってもよい。また、外部から見えない位置である底部や側面において、地面に固定する。外部から見えるところに金具を用いて、地面に固定する場合には、金具を隠すように、例えば化粧板となる石材を設けることがよい。
【００２１】
（実施例２）
次に、図１３及び図１４を用いて第２の実施例について説明する。図１３は、同実施例における斜視図、図１４は同実施例における側面図である。
【００２２】
塀面設置型墓碑は、後板石２Ｆ、納骨部３Ｆ、台座部４Ｆ、及び竿石６Ｆを有している。台座部４Ｆは、両端部に花立て８Ｆ及び香炉９Ｆを有している。納骨部３Ｆは、蓋体５Ｆ、横腰石７Ｆ、及び支持板石１８Ｆを有している。本実施例において蓋体５Ｆは、台座部４Ｆの上方に位置している。このようにすることで、蓋体５Ｆを上方にスライドさせ、手前方向に倒すことができ、納骨の作業が容易となる。また、本実施例では、後板石２Ｆが、支持板石１８Ｆの上面部分に対応する部分で、上下に分かれている。また、竿石６Ｆ及び後板石２Ｆは下面において、支持板石１８Ｆの上面によって支持されている。上部の後板石２Ｆは、塀１Ｆに固定する役割があり、また塀１Ｆを正面から見えないようにする効果がある。下部の後板石２Ｆは、納骨時に蓋石５Ｆを開いたときに塀１Ｆを隠す役割がある。また、竿石６Ｆは、上方に凸部が設けられており、後板石２Ｆに係合する構造となっているため、手前側への倒れる危険性を少なくし、後板石２Ｆに安定して固定させることができる。このような竿石の形状とすることで、後板石２Ｆがなくても塀１Ｆに塀面設置型墓碑を形成することができ、土地の有効利用が図られる。また、後板石２Ｆ及び塀１Ｆの両方によって、竿石６Ｆの加重を支えることとすれば、後板石２Ｆへの加重負荷が軽減され、前後方向に後板石を薄くすることができ、結果として、墓碑設置面積の前後長をより短くすることができる。
【００２３】
【発明の効果】
以上のように本発明は、寺院墓地の壁や塀等を利用して墓碑及び納骨庫を設ける様にすることができる。
【図面の簡単な説明】
【図１】本発明の一実施例による塀面設置型墓碑の斜視図
【図２】本発明の一実施例による塀面設置型墓碑の背面からの斜視図
【図３】本発明の一実施例による設置用の金具の斜視図
【図４】本発明の一実施例による塀面設置型墓碑の設置時の側面図
【図５】本発明の一実施例による塀面設置型墓碑の斜視図
【図６】本発明の一実施例による横腰石の斜視図
【図７】本発明の一実施例による横腰石の側面図
【図８】本発明の一実施例による横腰石の正面図
【図９】本発明の一実施例による横腰石の斜視図
【図１０】本発明の一実施例による横腰石の斜視図
【図１１】本発明の一実施例による蓋体の斜視図
【図１２】本発明の一実施例による横腰石の斜視図
【図１３】本発明の一実施例による塀面設置型墓碑の斜視図
【図１４】本発明の一実施例による塀面設置型墓碑の側面図
【符号の説明】
１  塀
２  後板石
３  納骨部
４  台座部
５  蓋体
６  竿石
７  横腰石
８  花立て
９  香炉
１０  前腰石
１１  金具
１２  蓋体固定部
１３  金具
１４  ボルト
１５  ダンパー
１６  傾斜角
１７  切り欠き溝
１８  支持板石
【図１】
0003957114.tif 000002
【図２】
0003957114.tif 000003
【図３】
0003957114.tif 000004
【図４】
0003957114.tif 000005
【図５】
0003957114.tif 000006
【図６】
0003957114.tif 000007
【図７】
0003957114.tif 000008
【図８】
0003957114.tif 000009
【図９】
0003957114.tif 000010
【図１０】
0003957114.tif 000011
【図１１】
0003957114.tif 000012
【図１２】
0003957114.tif 000013
【図１３】
0003957114.tif 000014
【図１４】
0003957114.tif 000015